(57)【特許請求の範囲】
【請求項１】
角筒部と、
前記角筒部の内部に設けられた弾性接触片と、
前記角筒部を構成し、前記角筒部に挿入された相手側端子のタブを前記弾性接触片との間で弾性的に挟む受け板部と、
前記受け板部の左右両側縁から略直角に延出して前記角筒部を構成する一対の側板部と、
一方の前記側板部の延出端縁における前端側領域から略直角に延出して前記角筒部を構成し、前記弾性接触片の基端部に繋がる支持板部と、
他方の前記側板部の延出端縁における前端側領域から略直角に延出して前記角筒部を構成し、前記支持板部の外面に重ねられた外板部と、
前記一方の側板部の延出端縁における後端側領域から略直角に延出して前記角筒部を構成する第１天板部と、
前記他方の側板部の延出端縁における後端側領域から略直角に延出して前記角筒部を構成し、前記第１天板部に重ねられた第２天板部と、
前記支持板部と前記外板部のうち少なくとも一方の板部の後端縁に形成され、端子収容室のランスに係止される抜止め機能部とを備え、
前記受け板部を基準とする前記第１天板部の上面の高さ及び前記第２天板部の上面の高さを、いずれも前記支持板部の下面より低く設定することで、前記支持板部と前記第１天板部及び前記第２天板部との間に高低差が設けられ、
前記高低差により、前記抜止め機能部における前記ランスとの係止代が確保されていることを特徴とする端子金具。
【請求項２】
前記弾性接触片が前記支持板部の前端から後方へ折り返されて片持ち状に延出する形態であり、
前記第１天板部と前記第２天板部のうち一方の前記天板部から延出し、前記弾性接触片の後端部を支持する補助バネ部を備えていることを特徴とする請求項１記載の端子金具。
【請求項３】
前記第１天板部と前記第２天板部のうち内側に位置する前記天板部が、その延出端縁を前記側板部に係止させることで変位規制され、
前記補助バネ部が、前記内側に位置する天板部に形成されていることを特徴とする請求項２記載の端子金具。
【請求項４】
前記補助バネ部が、前記第１天板部と前記第２天板部のうち内側に位置する前記天板部に形成され、
前記第１天板部と前記第２天板部のうち外側に位置する前記天板部が、前記補助バネ部の少なくとも一部を外側から覆っていることを特徴とする請求項２または請求項３に記載の端子金具。
【発明の詳細な説明】
【技術分野】
【０００１】
本発明は、雌形の端子金具に関するものである。
【背景技術】
【０００２】
特許文献１には、角筒部の内部に弾性接触片が設けられた雌形の端子金具が開示されている。この端子金具は、角筒部に挿入された相手側端子のタブを、弾性接触片と角筒部を構成する受け板部との間で弾性的に挟むようになっている。角筒部は、弾性接触片を支持する支持板部と、支持板部の左右両側縁から略直角に延出する一対の側板部と、一方の側板部の延出端縁から略直角に延出する受け板部と、他方の側板部の延出端縁から略直角に延出して受け板部の外面に重ねられる外板部とを備えて構成されている。
【０００３】
外板部には、その一部を切欠した切欠部が形成されているとともに、切欠部の開口縁部を、外板部の板厚分だけ外面側へ叩き出すことによって係止突部が形成されている。端子金具をハウジングの端子収容室に挿入すると、端子収容室の内壁に沿うように形成したランスが、切欠部に入り込んで係止突部に係止することにより、端子金具が抜止めされるようになっている。
【先行技術文献】
【特許文献】
【０００４】
【特許文献１】特開２００２−１９０３３６号公報
【発明の概要】
【発明が解決しようとする課題】
【０００５】
特許文献１の端子金具は、ランスとの係止代として、外板部に切欠部を形成することにより得られた外板部の板厚分の寸法と、係止突部を叩き出すことにより得られた外板部の板厚分の寸法とを併せた寸法を確保している。しかし、この外板部の板厚２枚分の係止代のうち、係止突部による係止代は、角筒部の外面から突出させて得られたものであるから、端子金具が弾性接触片の撓み方向において嵩高となる。
本発明は上記のような事情に基づいて完成されたものであって、角筒部の低背化を図ることを目的とする。
【課題を解決するための手段】
【０００６】
本発明は、
角筒部と、
前記角筒部の内部に設けられた弾性接触片と、
前記角筒部を構成し、前記角筒部に挿入された相手側端子のタブを前記弾性接触片との間で弾性的に挟む受け板部と、
前記受け板部の左右両側縁から略直角に延出して前記角筒部を構成する一対の側板部と、
一方の前記側板部の延出端縁における前端側領域から略直角に延出して前記角筒部を構成し、前記弾性接触片の基端部に繋がる支持板部と、
他方の前記側板部の延出端縁における前端側領域から略直角に延出して前記角筒部を構成し、前記支持板部の外面に重ねられた外板部と、
前記一方の側板部の延出端縁における後端側領域から略直角に延出して前記角筒部を構成する第１天板部と、
前記他方の側板部の延出端縁における後端側領域から略直角に延出して前記角筒部を構成し、前記第１天板部に重ねられた第２天板部と、
前記支持板部と前記外板部のうち少なくとも一方の板部の後端縁に形成され、端子収容室のランスに係止される抜止め機能部とを備え、
前記受け板部を基準とする前記第１天板部の上面の高さ及び前記第２天板部の上面の高さを、いずれも前記支持板部の下面より低く設定することで、前記支持板部と前記第１天板部及び前記第２天板部との間に高低差が設けられ、
前記高低差により、前記抜止め機能部における前記ランスとの係止代が確保されているところに特徴を有する。
【発明の効果】
【０００７】
この構成によれば、ランスとの係止代として、少なくとも支持板部の板厚分の寸法と外板部の板厚分の寸法とを併せた寸法が確保される。受け板部の外面と支持板部の外面との間の領域を、角筒部の高さ方向に関する基準範囲とした場合、ランスとの係止代のうち基準範囲の外へはみ出すのは、外板部の板厚寸法分だけで済む。したがって、ランスとの係止代の全体が基準範囲から外れた領域に確保される場合に比べると、本発明は低背化される。
【図面の簡単な説明】
【０００８】
【図１】実施例１の端子金具の正面図
【図２】図１のＡ−Ａ線断面図
【図３】図２のＢ−Ｂ線断面図
【図４】図２のＣ−Ｃ線断面図
【図５】側面図
【図６】平面図
【図７】端子金具を端子収容室に挿入してランスにより抜止めした状態をあらわす断面図
【図８】展開図
【発明を実施するための形態】
【０００９】
本発明の端子金具は、
前記弾性接触片が前記支持板部の前端から後方へ折り返されて片持ち状に延出する形態であり、
前記第１天板部と前記第２天板部のうち一方の前記天板部から延出し、前記弾性接触片の後端部を支持する補助バネ部を備えていてもよい。
この構成によれば、補助バネ部で弾性接触片の後端部を支持することにより、弾性接触片とタブとの接触圧が高められる。
【００１０】
本発明の端子金具は、
前記第１天板部と前記第２天板部のうち内側に位置する前記天板部が、その延出端縁を前記側板部に係止させることで変位規制され、
前記補助バネ部が、前記内側に位置する天板部に形成されていてもよい。
この構成によれば、補助バネ部が形成されている天板部は、側板部への係止によって変位規制されているので、弾性接触片側からの弾力を受けたときに逃げる方向へ変位することはない。したがって、補助バネ部によって接触圧を高める機能の信頼性に優れている。
【００１１】
本発明の端子金具は、
前記補助バネ部が、前記第１天板部と前記第２天板部のうち内側に位置する前記天板部に形成され、
前記第１天板部と前記第２天板部のうち外側に位置する前記天板部が、前記補助バネ部の少なくとも一部を外側から覆っていてもよい。
この構成によれば、外側に位置する天板部によって、補助バネ部を異物の干渉から保護することが可能である。
【００１２】
＜実施例１＞
以下、本発明を具体化した実施例１を図１〜図８を参照して説明する。本実施例の端子金具１０は、図８に示す形状に打ち抜かれた一定厚さの金属板材１１に曲げ加工等を施して成形され、図２，５，６に示すように、全体として前後方向に細長い。尚、以下の説明では、前後方向に関して図２，５〜７の左方を前方ということにする。図２，５，６に示すように、端子金具１０の前端部には角筒部１２が形成され、端子金具１０の後端部には、電線（図示省略）を接続するためのオープンバレル状の電線圧着部１３が形成されている。角筒部１２の後端と電線圧着部１３の前端は、略Ｕ字形断面の連結部１４を介して繋がっている。
【００１３】
角筒部１２には、図７に示すように、その前方から相手側端子３３のタブ３４が挿入されるようになっている。図１〜６，８に示すように、角筒部１２は、受け板部１５、第１側板部１６（本発明の構成要件である一方の側板部）、第２側板部１７（本発明の構成要件である他方の側板部）、支持板部１８、外板部２０、弾性接触片２３、第１天板部２５（本発明の構成要件である一方の天板部であり、内側に位置する天板部）、第２天板部２７（本発明の構成要件である外側に位置する天板部）及び補助バネ部２９とを備えて構成されている。
【００１４】
受け板部１５は、前後方向に細長い略長方形をなす。第１側板部１６は、前後方向に細長く、受け板部１５の左側縁の前後方向における全領域から、上方へ略直角に立ち上がっている。第１側板部１６の上端縁（立ち上がり端縁）は、前端部で高く、前端部よりも後方の領域は段差状に低くなっている。第２側板部１７は、前後方向に細長く、受け板部１５の右側縁の前後方向における全領域から、上方へ略直角に立ち上がっている。第２側板部１７の上端縁（立ち上がり端縁）は、前後方向における略前半領域が高く、それよりも後方の略後半領域が段差状に低くなっている。
【００１５】
支持板部１８は、第１側板部１６の上端縁のうち高くなっている前端部（前端側領域）から、略直角に延出して受け板部１５と略平行に位置している。支持板部１８の左右両側縁のうち第１側板部１６と反対側（右側）の側縁には、前部係止突起１９が形成されている。
【００１６】
外板部２０は、第２側板部１７の上端縁のうち高くなっている略前半領域（前端側領域）から、略直角に延出して受け板部１５と略平行に位置し、支持板部１８の外面（受け板部１５とは反対側の上面）に重ねられている。前後方向において、外板部２０の前端縁は、第２側板部１７の前端縁及び受け板部１５の前端縁と同じ位置にある。前後方向における外板部２０の後端縁の位置は、支持板部１８の後端縁よりも後方の位置である。外板部２０の後端縁は、後述するランス３２を係止させるための抜止め機能部２１となっている。
【００１７】
第２側板部１７の上端縁と外板部２０の右側縁とが略直角に繋がる角縁部には、前部係止孔２２が形成されている。前部係止孔２２には前部係止突起１９が差し込まれて係止されている。この係止作用により、支持板部１８と、第２側板部１７及び外板部２０とが、前後方向及び上下方向への相対変位を規制された状態に位置決めされている。前後方向は、角筒部１２に対するタブ３４の挿入方向と平行な方向を意味する。また、上下方向は、タブ３４を弾性接触片２３と受け板部１５との間で挟む方向、換言すると弾性接触片２３が弾性変形する方向を意味する。
【００１８】
支持板部１８の前端には、弾性接触片２３の基端部が繋がっている。弾性接触片２３は、支持板部１８の前端から斜め下後方へ折り返されて片持ち状に延出した形態であり、基端部に形成された折返部２４を支点として上下方向に弾性変形し得るようになっている。上下方向における受け板部１５と弾性接触片２３との間隔は、前端から後端に向かって次第に狭くなっており、弾性接触片２３の後端部において最も狭くなる。受け板部１５と弾性接触片２３との間の最小間隔は、後述するタブ３４の厚さ寸法（上下寸法）よりも小さい。
【００１９】
弾性接触片２３の折返部２４の前端は、外板部２０の前端縁よりも後方に位置する。弾性接触片２３の弾性変形していない状態の後端縁は、前後方向においては支持板部１８の後端縁より後方に位置し、外板部２０の後端と同じかそれよりも少し前方に位置する。また、弾性接触片２３の弾性変形していない状態の後端縁は、上下方向においては支持板部１８より下方に位置する。したがって、弾性接触片２３は、その全体が角筒部１２内に収容されている。
【００２０】
第１天板部２５は、第１側板部１６の上端縁のうち低い領域の後端部から、略直角に延出して受け板部１５と略平行に位置している。受け板部１５を基準とする第１天板部２５の上面の高さは、支持板部１８の下面よりも低い。第１天板部２５の左右両側縁のうち第１側板部１６と反対側（右側）の側縁には、後部係止突起２６が形成されている。
【００２１】
第２天板部２７は、第２側板部１７の上端縁のうち低くなっている略後半領域（後端側領域）から、略直角に延出して受け板部１５と略平行に位置し、第１天板部２５の外面（受け板部１５とは反対側の上面）に重ねられている。受け板部１５を基準とする第２天板部２７の上面の高さは、支持板部１８の下面よりも低い。前後方向において、第２天板部２７の前端縁は、外板部２０の後端の抜止め機能部２１よりも後方に位置するとともに、第１天板部２５の前端よりも前方に位置する。
【００２２】
第２側板部１７の上端縁に近い位置には、後部係止孔２８が形成されている。後部係止孔２８には後部係止突起２６が差し込まれて係止されている。この係止作用により、第１天板部２５と、第２側板部１７及び第２天板部２７とが、前後方向及び上下方向への相対変位を規制された状態に位置決めされている。
【００２３】
第１天板部２５の前端には、補助バネ部２９の基端部（後端部）が繋がっている。補助バネ部２９は、第１天板部２５の前端から前方へ片持ち状に延出した形態であり、後端部を支点として上下方向へ弾性変形し得るようになっている。補助バネ部２９は、全体として受け板部１５と略平行に延出しているが、詳細には、補助バネ部２９の延出方向（前後方向）における略中央位置で段差状に屈曲されている。これにより、補助バネ部２９は、後端側の領域に比べて前端側の領域が少し高くなっている。
【００２４】
補助バネ部２９の前端縁は、前後方向においては第２天板部２７の前端及び抜止め機能部２１よりも前方に位置する。したがって、補助バネ部２９のうち前端部と後端部を除いた前後方向中央部は、外板部２０と第２天板部２７との間において上方へ露出している。補助バネ部２９の前端部は、弾性接触片２３の後端部の上面に重ねられている。したがって、補助バネ部２９は、その全体が角筒部１２内に収容されている。弾性接触片２３が、タブ３４と非接触であってタブ３４側からの押圧力を受けていないとき、弾性接触片２３と補助バネ部２９は、接触する状態と、接近して対向する非接触状態のいずれの状態であってもよい。弾性接触片２３と補助バネ部２９が接触している場合、弾性接触片２３と補助バネ部２９のうち少なくとも一方が弾性変形している。
【００２５】
図７に示すように、端子金具１０は、合成樹脂製のハウジング３０内に形成した端子収容室３１に、後方から挿入される。端子収容室３１には、その上壁部（内壁部）に沿って前方へ片持ち状に延出した形態のランス３２が形成されている。端子収容室３１に端子金具１０を挿入する過程では、ランス３２が、外板部２０の上面（外面）に押されて上方へ退避するように弾性変形する。そして、端子金具１０が端子収容室３１における正規挿入位置に到達すると、ランス３２が弾性復帰して抜止め機能部２１に対し後方から係止する。この係止により、端子金具１０が抜止め状態に保持される。
【００２６】
端子金具１０が挿入されてランス３２により抜止めされている状態において、ハウジング３０の前方から端子収容室３１内に挿入された相手側端子３３のタブ３４は、弾性接触片２３と受け板部１５との間に割り込むようにして角筒部１２内に進入する。このとき、弾性接触片２３と補助バネ部２９は上方（受け板部１５から遠ざかる方向）へ弾性変形するので、この弾性接触片２３と補助バネ部２９の弾性復元力により、タブ３４は、受け板部１５と弾性接触片２３との間で弾性的に挟み付けられる。これにより、タブ３４と弾性接触片２３及び受け板部１５との間で所定の接触圧が確保される。また、補助バネ部２９の弾性復元力により、接触圧が高められている。
【００２７】
図２に示すように、本実施例の端子金具１０は、角筒部１２を構成する板部のうち、上下方向において受け板部１５とは反対側を、二重板構造にしている。受け板部１５は、タブ３４を摺接させるようになっているので、段部や孔部を形成することはできないのであるが、弾性接触片２３を支持する支持板部１８や、支持板部１８の外面に重ねられる外板部２０は、段部や孔部を形成することが可能である。この点に着目し、受け板部１５とは反対側の板部を、二重板構造とした上で、角筒部１２の全幅に亘って段差状に高低差を設けた形態としている。この形態により、ランス３２との係止代Ｍとして、少なくとも支持板部１８の板厚分の寸法Ｔａと外板部２０の板厚分の寸法Ｔｂとを併せた板厚２枚分の寸法を確保している。この係止代Ｍは、角筒部１２の全幅に亘って確保されている。
【００２８】
このように本実施例では、受け板部１５とは反対側に板厚２枚分の係止代Ｍを確保している。しかし、本実施例とは逆に、受け板部側に、ランス３２との係止代Ｍとして板厚２枚分の寸法を確保しようとした場合、上述したように受け板部側には段部や孔部を形成できないので、受け板部の外面に別の板部を重ね、その重ねた板部に叩き出し部を形成することになる。このような形態の角筒部と、本実施例の角筒部１２の高さ寸法を比較する。
【００２９】
受け板部１５の外面（下面）と支持板部１８の外面（上面）との間の領域を、角筒部１２の高さ方向に関する基準範囲Ｈとした場合、本実施例の端子金具１０では、ランス３２との係止代Ｍのうち基準範囲Ｈの外へはみ出すのが、外板部２０の板厚寸法Ｔｂ分だけで済んでいる。これに対し、受け板部側に板厚２枚分の係止代Ｍを確保しようとする場合は、係止代Ｍの全体が基準範囲Ｈから外れた領域に確保されることになる。したがって、受け板部側に板厚２枚分の係止代Ｍを確保する場合に比べると、本発明の端子金具１０は低背化される。
【００３０】
また、本実施例の端子金具１０は、第１天板部２５と第２天板部２７のうち内側に位置する第１天板部２５が、その延出端縁の後部係止突起２６を第２側板部１７の後部係止孔２８に係止させることで変位規制され、この変位規制された第１天板部２５に補助バネ部２９が形成されている。この構成によれば、弾性接触片２３側からの弾力が補助バネ部２９を介して第１天板部２５に作用しても、第１天板部２５は、弾性接触片２３から逃げる方向（上方）へ変位することがないので、補助バネ部２９によって接触圧を高める機能の信頼性に優れている。
【００３１】
また、本実施例の端子金具１０は、第１天板部２５と第２天板部２７のうち内側に位置する第１天板部２５に補助バネ部２９が形成されており、外側に位置する第２天板部２７が、補助バネ部２９の一部を外側から覆っている。この構成によれば、外側に位置する第２天板部２７によって、補助バネ部２９を異物の干渉から保護することが可能である。
【００３２】
＜他の実施例＞
本発明は上記記述及び図面によって説明した実施例に限定されるものではなく、例えば次のような実施例も本発明の技術的範囲に含まれる。
（１）上記実施例では、外板部と同じ側板部から延出した天板部（第２天板部）を、支持板部と同じ側板部から延出した天板部（第１天板部）の外面に重ねたが、外板部と同じ側板部から延出した天板部を、支持板部と同じ側板部から延出した天板部の内側に重ねてもよい。
（２）上記実施例では、抜止め機能部が、外板部の後端縁のみに形成されたが、抜止め機能部は、支持板部の後端縁のみに形成されていてもよく、外板部の後端縁と支持板部の後端縁の両方に形成されていてもよい。
（３）上記実施例では、第１天板部と第２天板部のうち内側に位置する第１天板部に補助バネ部を形成したが、補助バネ部は、外側に位置する第２天板部に形成してもよい。
（４）上記実施例では、天板部に補助バネ部を形成したが、天板部に補助バネ部を形成しない形態としてもよい。
（５）上記実施例では、第２天板部が補助バネ部の一部のみを覆うようにしたが、第２天板部が補助バネ部の全体を覆うようにしてもよい。
【符号の説明】
【００３３】
１０…端子金具
１２…角筒部
１５…受け板部
１６…第１側板部（一方の側板部）
１７…第２側板部（他方の側板部）
１８…支持板部
２０…外板部
２１…抜止め機能部
２５…第１天板部（一方の天板部、内側に位置する天板部）
２７…第２天板部（外側に位置する天板部）
２９…補助バネ部
３１…端子収容室
３２…ランス
２３…弾性接触片
３３…相手側端子
３４…タブ
【図１】
0005754413.tif 000002
【図２】
0005754413.tif 000003
【図３】
0005754413.tif 000004
【図４】
0005754413.tif 000005
【図５】
0005754413.tif 000006
【図６】
0005754413.tif 000007
【図７】
0005754413.tif 000008
【図８】
0005754413.tif 000009